(57)【要約】【課題】トレイをカップホルダに簡単かつ確実に取り付けることができるとともに、取り付け後はトレイに人の足等が当たっても外れずに確実に保持でき、しかも、トレイを取り外したいときは簡単に取り外せるトレイの保持構造を提供する。【解決手段】アームレスト１０とカップホルダ２０とを座席の前後方向に相対的に移動可能に組み付け、トレイ４０の挿入部４３に形成された係合孔４４と、アームレスト１０に保持され、先端部が挿入部４３の係合孔４４内に弾性的に挿脱されるロック部材３０と、を備えた。ロック部材３０は、カップホルダ２０へのトレイ４０の取付け時に、第１コイルスプリング１６によってトレイ４０の挿入部４３の係合孔４４内に弾性的に係合し、カップホルダ２０からのトレイ４０の取外し時に、アームレスト１０の移動によりカップホルダ２０の外方に後退して挿入部４３の係合孔４４との係合が解除される。【選択図】図２
2019093918.tif 000002
【特許請求の範囲】
【請求項１】
座席のアームレストに設けられた筒状のカップホルダにトレイを保持するトレイの保持構造であって、
前記アームレストと前記カップホルダとは、前記座席の前後方向に相対的に移動可能に組み付けられており、
前記トレイは、前記カップホルダ内に嵌挿される挿入部が下方に突設されており、
前記挿入部に形成された係合孔と、
前記アームレストに保持され、先端部が前記挿入部の係合孔内に弾性的に挿脱されるロック部材と、
を備え、
前記ロック部材は、前記カップホルダへの前記トレイの取付け時に、付勢部材によって前記トレイの挿入部の係合孔内に弾性的に係合し、前記カップホルダからの前記トレイの取外し時に、前記アームレストまたは前記カップホルダの前記移動により前記カップホルダの外方に後退して前記挿入部の係合孔との係合が解除されることを特徴とするトレイの保持構造。
【請求項２】
前記カップホルダは、円筒状に形成され、
前記トレイの挿入部は、円筒状または円柱状に形成され、
前記挿入部の係合孔は、周方向に長い長孔で形成され、
前記トレイは、前記カップホルダの軸心回りに回動可能に保持されていることを特徴とする請求項１に記載のトレイの保持構造。
【請求項３】
前記カップホルダは、前記座席に固定されていることを特徴とする請求項１または請求項２に記載のトレイの保持構造。
【請求項４】
前記アームレストは、前記座席に固定されていることを特徴とする請求項１または請求項２に記載のトレイの保持構造。
【請求項５】
移動側の前記アームレストまたは前記カップホルダは、人為的に操作することにより固定側の前記カップホルダまたは前記アームレストから離間する方向に移動し、前記操作が解除された後、元位置に弾性復帰することを特徴とする請求項１乃至請求項４のいずれかに記載のトレイの保持構造。
【請求項６】
前記座席は、映画館用シートであることを特徴とする請求項１乃至請求項５のいずれかに記載のトレイの保持構造。
【発明の詳細な説明】
【技術分野】
【０００１】
本発明は、座席のアームレストに設けられたカップホルダに飲食物等用のトレイを保持させるためのトレイの保持構造に関する。
【背景技術】
【０００２】
劇場や映画館等の座席には、飲料用のカップやボトル等を保持するためのカップホルダが設けられており、こうしたカップホルダにスナック類等を載せるトレイを支持可能に構成したものがある。このような構成に関しては、例えば、特許文献１に、カップホルダの凹部の底面の中心に丸孔を穿設し、トレイの下方に突出する取付軸を丸孔に嵌挿することにより、トレイをカップホルダに着脱可能且つ回動可能に取り付けるトレイ装置が開示されている。また、特許文献２には、カップホルダの上端部を円筒状に形成し、トレイの下面に、前記円筒の曲率に合致する曲率の円弧状をなし、前記カップホルダの上端部に嵌合する幅の下向き凹溝を有する取付部を突設したトレイ装置が開示されている。
【０００３】
しかし、従来、カップホルダは、座席の肘掛けの先端部や、背もたれの背面に設けられている。このようなカップホルダに支持されたトレイは、座席の着座者のすぐ前や、座席周囲の通路上にはみ出して位置しているため、座席への着座時や起立時、通路の歩行時等に人の足等が当たり易い。このため、取付軸を丸孔に嵌挿するという差し込みのみでトレイをカップホルダに支持させる構成においては、トレイに人の足等が当たると、トレイがカップホルダからすぐに外れてしまうという不具合があった。そして、トレイの取付部の凹溝をカップホルダの上縁部に嵌合する構成においては、取付部の全体をカップホルダに差し入れるものに比べて差し込みが浅くなるため、トレイに人の足等が当たると、トレイがカップホルダからより簡単に外れてしまうという不具合があった。
【０００４】
なお、トレイの下方への突出部をカップホルダに強く圧入して嵌挿し取り付けるものは、トレイを持ち上げて取り外すときに、トレイが勢い余って飛び上がり、トレイ上の飲食物等がこぼれ落ちてしまうことがあり、また、圧入により嵌挿したとしてもトレイに人の足等が強く当たれば、やはりトレイは簡単に外れ、カップホルダから落下してしまうことがあった。
【０００５】
この点に関して、特許文献１には、取付軸の下端部に、カップホルダの丸孔の下縁部周囲に係合する係脱可能な係止部を設けたトレイ装置も開示されている。また、特許文献３のトレイ装置は、トレイに筒状の取付部を突設し、この取付部の底面に係止鉤片を設け、カップホルダの底部に係止孔を設けたものが開示されている。これらのトレイ装置の場合は、カップホルダの底面の丸孔とトレイの取付軸の係止部とが係合し、あるいは、カップホルダの底部の係止孔とトレイの取付部の係止鉤片とが係合するので、トレイがカップホルダから外れ易いという不具合を解消することができる。
【先行技術文献】
【特許文献】
【０００６】
【特許文献１】特開平１１−３４２０４２号公報
【特許文献２】特開平１１−３４２０４１号公報
【特許文献３】特開平１１−３４２０４０号公報
【発明の概要】
【発明が解決しようとする課題】
【０００７】
しかし、特許文献１あるいは３に記載された、トレイの取付部の底面とカップホルダの底部とに係止手段を設けた構成のものは、開口部から遠く離間したトレイの取付部の底面及びカップホルダの底部において係止させなければならないから、トレイを取り付けにくかった。加えて、トレイの取付部の底面とカップホルダの底部とに係止手段が設けられているので、確実に係止されているかを確認しにくく取付けの確実性に欠けていた。
【０００８】
また、トレイを取り外す際には、外側からカップホルダの底部まで手を回してトレイの取付軸の係止部を摘み、係止を解除する必要があったり、トレイの取付部の係止鉤片を所定角度開動させて係止を解除する必要があったりするので、トレイを取り外しにくかった。
【０００９】
そこで、本発明は、トレイをカップホルダに簡単かつ確実に取り付けることができるとともに、取り付け後はトレイに人の足等が当たっても外れずに確実に保持でき、しかも、トレイを取り外したいときは簡単に取り外すことができるトレイの保持構造の提供を課題とするものである。
【課題を解決するための手段】
【００１０】
上記問題を解決するために、請求項１に記載の発明は、
座席のアームレストに設けられた筒状のカップホルダにトレイを保持するトレイの保持構造であって、
前記アームレストと前記カップホルダとは、前記座席の前後方向に相対的に移動可能に組み付けられており、
前記トレイは、前記カップホルダ内に嵌挿される挿入部が下方に突設されており、
前記挿入部に形成された係合孔と、
前記アームレストに保持され、先端部が前記挿入部の係合孔内に弾性的に挿脱されるロック部材と、
を備え、
前記ロック部材は、前記カップホルダへの前記トレイの取付け時に、付勢部材によって前記トレイの挿入部の係合孔内に弾性的に係合し、前記カップホルダからの前記トレイの取外し時に、前記アームレストまたは前記カップホルダの前記移動により前記カップホルダの外方に後退して前記挿入部の係合孔との係合が解除されることを要旨とする。
【００１１】
請求項２に記載の発明は、請求項１の記載において、前記カップホルダは、円筒状に形成され、前記トレイの挿入部は、円筒状または円柱状に形成され、前記挿入部の係合孔は、周方向に長い長孔で形成され、前記トレイは、前記カップホルダの軸心回りに回動可能に保持されていることを要旨とする。
請求項３に記載の発明は、請求項１または請求項２の記載において、カップホルダは、前記座席に固定されている、換言すれば、アームレストは移動可能となっていることを要旨とする。
請求項４に記載の発明は、請求項１または請求項２の記載において、アームレストは、前記座席に固定されている、換言すれば、カップホルダは移動可能となっていることを要旨とする。
【００１２】
請求項５に記載の発明は、請求項１乃至請求項４のいずれかの記載において、移動側の前記アームレストまたは前記カップホルダは、人為的操作により固定側の前記カップホルダまたは前記アームレストから離間する方向に移動し、前記操作が解除された後、元位置に弾性復帰することを要旨とする。
請求項６に記載の発明は、請求項１乃至請求項５のいずれかの記載において、座席は、映画館用シートであることを要旨とする。
【発明の効果】
【００１３】
本発明のトレイの保持構造によると、ロック部材は、カップホルダへのトレイの取付け時に、付勢部材によってトレイの挿入部の係合孔内に弾性的に係合し、トレイの取外し時に、アームレストまたはカップホルダの移動に伴ってカップホルダの外方に後退し挿入部の係合孔との係合が解除されるから、トレイはカップホルダに簡単かつ確実に取り付けることができる。また、トレイを取り付けた後は、ロック部材が挿入部の係合孔内に前進して係合することにより、トレイをカップホルダに確実に保持でき、トレイに人の足等が当たっても外れない。加えて、トレイを取り外したいときは、アームレストまたはカップホルダを移動させるだけでロック部材は挿入部の係合孔との係合が解除されることにより、簡単に取り外すことができる。
【００１４】
また、トレイが、カップホルダの軸心回りに回動可能に保持されている場合は、トレイを最適な位置、向きに自在に調整できるから、トレイを使い易い。
そして、カップホルダが座席に固定されている場合は、ロック部材はアームレストと一体となって移動し、それによりトレイの挿入部の係合孔との係合が解除されるが、その際、アームレストは手で把持して座席の背もたれ側すなわち着座者の手前側に移動することになるので、アームレストを移動させ易い。
また、アームレストが座席に固定されている場合は、ロック部材はカップホルダが移動することによりカップホルダの挿入部から離間し、トレイの挿入部の係合孔との係合が解除されるが、その際、カップホルダは通常は手などがほとんど触れない箇所にあり、トレイを取り外すときだけ手で把持して前方側に移動させることになるから、不用意にロック部材の係合を解除してしまうのをより回避することができる。
【００１５】
移動側のアームレストまたはカップホルダが、人為的操作により固定側のカップホルダまたはアームレストから離間する方向に移動する場合は、アームレストを人為的に操作して移動させることによりトレイを取り外すことができることになるのであるから、これは、何らかの拍子にトレイが外れてしまい不測の事態を招き兼ねないので着座者に明確にトレイを取り外すための行為をなさしめるという意味で効果を奏する。
座席が、映画館用シートである場合は、座席廻りや通路が狭いために人の足等が接触してトレイが外れ易い映画館用シートにおいて特に顕著な効果を奏する。
【図面の簡単な説明】
【００１６】
本発明について、本発明による典型的な実施形態の非限定的な例を挙げ、言及された複数の図面を参照しつつ以下の詳細な記述にて更に説明するが、同様の参照符号は図面のいくつかの図を通して同様の部位を示す。
【図１】本発明のトレイの保持構造が適用される座席の斜視図である。
【図２】本発明の第一実施形態のトレイの保持構造を示す斜視図である。
【図３】図２の保持構造の分解斜視図である。
【図４】図２の保持構造の平面図である。
【図５】図４のＡ−Ａ切断線による断面図である。
【図６】図２の保持構造に取り付けられるトレイを裏面側からみた斜視図である。
【図７】図２の保持構造にトレイを取り付ける方法を示す縦断面図である。
【図８】図７のカップホルダに取付後のトレイの回動状態を示す平面図である。
【図９】カップホルダからトレイを取り外すときの保持構造を示す斜視図である。
【図１０】本発明の第二実施形態のトレイの保持構造におけるカップホルダにトレイを取り付ける方法を示す横断面図である。
【図１１】本発明の第二実施形態のトレイの保持構造におけるカップホルダにトレイを取り付ける方法を示す横断面図である。
【図１２】本発明のトレイの保持構造のカップホルダにドリンクカップを収容した状態を示す縦断面図である。
【発明を実施するための形態】
【００１７】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１８】
〈第一実施形態〉
まず、本発明の第一実施形態のトレイの保持構造を図に基づいて説明する。本実施形態では、座席は映画館に設置されたシートを例示する。なお、以下の説明において、前方とは、着座者が向いている前側を意味し、後方とは、着座者の背中側すなわちシートの背もたれ側を意味する。
【００１９】
図１において、座席５０は左右両側にアームレスト１０が設けられ、各アームレスト１０の前方先端部にカップホルダ２０が設けられている。更に、着座者からみて右側のカップホルダ２０には、トレイ４０の裏面側から下方に向けて突設された挿入部４３が嵌挿されることによってトレイ４０が取り付けられている。カップホルダ２０は、飲物用のカップを載せるために設けられたものであるが、本発明のカップホルダ２０はこれを利用して主にトレイ４０を取り付けるものとなっている。なお、図１において、アームレスト１０及びカップホルダ２０は左右両側に設けられているが、左右いずれか一方のみに設けてもよい。これらアームレスト１０、カップホルダ２０及びトレイ４０の挿入部４３は、トレイ４０の保持構造１を構成している。
【００２０】
アームレスト１０とカップホルダ２０とは、座席５０の前後方向に相対的に移動可能に組み付けられている。例えば、図２乃至図５に示すように、カップホルダ２０は、その後方側に段差を有して矩形平板状の基台２１が座席５０の背もたれ５１側に向けて一体に延設され、その基台２１の上部全体にアームレスト１０が覆うように被せられて組み付けられており、かつ、アームレスト１０は、カップホルダ２０に対して前後に所定距離スライド移動できるようになっている。ここで、本第一実施形態において、カップホルダ２０は基台２１と一体になって座席５０に固定されている。なお、カップホルダ２０は、広義には、基台２１を含んでいる。
【００２１】
カップホルダ２０は、より詳細には、木あるいは合成樹脂等の材料により形成され、円形のホルダ穴２２が設けられており、ホルダ穴２２は、円筒状、厳密にいえば内周面が僅かに傾斜面となっている円錐台形状に形成され、下面側に向かうに従って縮径している。基台２１は、カップホルダ２０の上面に対して段差により一段低くなっており、両側面の高さ方向中間位置には後述するアームレスト１０のフランジ１４が嵌合する嵌合溝２３が長さ方向全体に設けられている。
【００２２】
更に、カップホルダ２０は、ホルダ穴２２とアームレスト１０側の端部との間における左右の幅方向の中央部分に、後述するロック部材３０が貫通して往復動可能な挿通孔２４が設けられている。挿通孔２４は、一端側がホルダ穴２２の周壁に至り、その開口はホルダ穴２２の内部に臨み、他端側がアームレスト１０との境界をなす段差部に至り、その開口はアームレスト１０の前方側の端面に臨んでいる。
【００２３】
アームレスト１０は、合成樹脂等により略Ｃ字状の一定断面に形成され、表面にはレザー等の表皮材１１が貼り付けられていて、上面に肘が載置されるようになっている。アームレスト１０の中央板部１２は、カップホルダ２０と基台２１との段差にほぼ等しい一定の板厚に形成されている。アームレスト１０の中央板部１２の幅方向両側縁には下方に向けて側板部１３が設けられ、更に両側板部１３の下端からは内部空間側に向けて折曲されたフランジ１４が設けられている。両フランジ１４は、カップホルダ２０の基台２１の側面の嵌合溝２３に嵌合し、嵌合溝２３内をアームレスト１０の長さ方向にスライドにより移動可能となっている。
【００２４】
この構成により、アームレスト１０の両側の側板部１３及びフランジ１４を幅方向に弾性的に拡開させつつ、アームレスト１０を、その前端部からロック部材３０が少なくとも前方に突出している長さだけカップホルダ２０から離間した位置において、カップホルダ２０の基台２１の真上から下方に移動させて基台２１上に被せ、両側のフランジ１４を基台２１の嵌合溝２３に嵌合させた後、カップホルダ２０側に移動させることにより、アームレスト１０をカップホルダ２０に組み付けることができる。また、カップホルダ２０の基台２１の後端部側から、基台２１の嵌合溝２３にアームレスト１０のフランジ１４を嵌合させつつそのままアームレスト１０を水平方向にスライド移動させることにより、カップホルダ２０に組み付けることもできる。
【００２５】
更に、アームレスト１０の中央板部１２のカップホルダ２０側の端部寄りには、第１収容空間１５が設けられているとともに、反対側の端部寄りには、シートの背もたれ５１側に開口する第２収容空間１８が設けられている。第１収容空間１５は、偏平な矩形箱状の空間に形成され、内部の幅方向中央部分には、付勢部材としての第１コイルスプリング１６がアームレスト１０の長さ方向に沿って取り付けられている。第１コイルスプリング１６は、後述のロック部材３０と第１収容空間１５の後方側壁面１５ａとの間に設けられている。第１収容空間１５の前方側壁面１５ｃ即ちカップホルダ２０側の壁面の幅方向中央部分からは、第１収容空間１５より小さい一定幅を有する貫通孔１７が形成されている。貫通孔１７の第１収容空間１５側の開口の両側縁部には段部１５ｂが左右均等に形成されている。貫通孔１７の他側の開口即ちカップホルダ２０側の開口は、カップホルダ２０に臨んでカップホルダ２０の挿通孔２４と連通している。
【００２６】
アームレスト１０の第２収容空間１８は、偏平な矩形箱状の空間に形成され、内部の幅方向中央部分には、第２コイルスプリング１９がアームレスト１０の長さ方向に沿って取り付けられている。第２コイルスプリング１９は、一端が座席５０の背もたれ５１に接続され、他端は第２収容空間１８の前方側壁面１８ａに接続されている。
【００２７】
カップホルダ２０の挿通孔２４及びこれと連通するアームレスト１０の貫通孔１７の内部にはロック部材３０が両孔内に移動可能に収容されている。ロック部材３０は合成樹脂等により一定幅の平板状に形成されている。ロック部材３０の前方側すなわちホルダ穴２２側の先端面３１は、平面視においてトレイ４０の挿入部４３の周壁の曲率に対応した湾曲面に形成され、かつ、上方から下方にかけてホルダ穴２２の内部に向けて傾斜する傾斜面に形成されている。一方、ロック部材３０の後方側すなわちアームレスト１０側の端部はＴ字状に形成され、両側方に突片３２が突出している。この突片３２は、第１コイルスプリング１６の付勢力により、貫通孔１７の第１収容空間１５側の開口の段部１５ｂにおいて第１収容空間１５の前方側壁面１５ｃに弾性的に当接している。
【００２８】
次に、トレイ４０は、図６に示すように、合成樹脂で一体に形成され、上面にスナック食品等が載置される皿部４１及びドリンクカップ６０が収容されるカップ収容部４２が設けられている。更に、トレイ４０の角部の下面には、カップホルダ２０内に嵌挿される挿入部４３が下方に突設されている。挿入部４３は、略円筒状に形成され、突出する先端の底面は閉塞されまたは丸孔が設けられている。挿入部４３は、カップホルダ２０に対応した形状、大きさに形成され、厳密にいえばホルダ穴２２の内周面に合わせて周壁が僅かに傾斜面となっている円錐台形状に形成され、先端底面側に向かうに従って縮径している。
【００２９】
更に、挿入部４３の周壁には、カップホルダ２０に取り付けたときにホルダ穴２２の内周面におけるロック部材３０の挿通孔２４の開口と面する側であって、その開口に対応する高さとなる箇所に、ホルダ穴２２内に突出するロック部材３０の先端部が挿入されて係合する係合孔４４が設けられている。この係合孔４４は、貫通する孔であるとともに挿入部４３の周壁において周方向に長い長孔で形成され、長孔の幅は平板状のロック部材３０の板厚より僅かに大きく形成されている。トレイ４０の挿入部４３に形成された係合孔４４が長孔に形成されていることにより、トレイ４０は、カップホルダ２０の軸心回りに所定の回動角度の範囲で回動させることが可能となっている。
【００３０】
トレイ４０を回動させることができる範囲は、係合孔４４の長さに関連して適宜設定でき、アームレスト１０にトレイ４０が衝突しない回動角度とするのが好ましい。具体的には、アームレスト１０にトレイ４０を真っ直ぐに保持させた状態を基準位置として、この基準位置から右側か左側への上限の回動角度は、６０度以上で１２０度以下の範囲が好ましい。
【００３１】
次に、このように構成された本実施形態のトレイ４０の保持構造１による、カップホルダ２０へのトレイ４０の保持について説明する。
トレイ４０が取り付けられていない状態においては、図５に示すように、カップホルダ２０のホルダ穴２２の内周面における挿通孔２４の開口からロック部材３０の先端部がホルダ穴２２内に突出している。この状態において、トレイ４０をカップホルダ２０に取り付けて保持させるには、トレイ４０の挿入部４３側の角部の先端をカップホルダ２０の幅方向のほぼ中間部分に位置させ、トレイ４０の挿入部４３の係合孔４４をホルダ穴２２の挿通孔２４の開口の位置に対応させて、トレイ４０の挿入部４３を上方からホルダ穴２２にそのまま嵌め込んでいけばよい。
【００３２】
こうしてトレイ４０の挿入部４３を嵌め込んでいくと、図７(a)に示すように、挿入部４３の底部の周縁が最初にロック部材３０の傾斜している先端面３１に当接しこれを下方に押圧する。ここで、ロック部材３０は、第１コイルスプリング１６によってカップホルダ２０の挿通孔２４内を弾性的に進退する。このため、ロック部材３０の傾斜面となっている先端面３１にトレイ４０の挿入部４３が当接し押圧すると、ロック部材３０は弾性的に挿通孔２４内をアームレスト１０側に後退するので、挿入部４３はホルダ穴２２内を更に下方に挿入可能となる。以下、カップホルダ２０の挿入部４３の押し下げに追随してロック部材３０の先端面３１は次第にホルダ穴２２外に後退していく。
【００３３】
そして、挿入部４３の係合孔４４がロック部材３０の先端部の位置まで下降すると、図７(b)に示すように、ロック部材３０は第１コイルスプリング１６の付勢力により反転してホルダ穴２２内に前進し、係合孔４４内に進入、係合する。この状態になると、挿入部４３の係合孔４４の上端縁はロック部材３０の上面に掛止するので、挿入部４３はそれ以上に下降するのが阻止され、その定位置でロック部材３０によって支持され、トレイ４０は保持される。なお、この状態において、挿入部４３の上端の接合部におけるトレイ４０の下面がカップホルダ２０の上面と当接し、あるいは、挿入部４３の周壁とホルダ穴２２の内周面とが全面的に密接するように設定しておけば、トレイ４０は、より安定してカップホルダ２０に保持される。
【００３４】
トレイ４０をカップホルダ２０に取り付けた後は、トレイ４０は、図８に示すように、カップホルダ２０の軸心回りに回動させて使用することができる。
【００３５】
次に、カップホルダ２０に取り付けたトレイ４０を取り外すときは、座席５０に固定されているカップホルダ２０に対してアームレスト１０を手で把持して、図９に示すように、第２収容空間１８内の第２コイルスプリング１９の付勢力に抗して座席５０の背もたれ５１側にスライド移動させる。その移動によりアームレスト１０の後方端部は座席５０の背もたれ５１の内部に進入し収容される。なお、図９では、図示の都合上トレイ４０の本体部分の図示を省略し、挿入部４３のみが記載してある。
【００３６】
ここで、ロック部材３０の後方側すなわちアームレスト１０側の端部はＴ字状に形成され、両側の突片３２が第１収容空間１５の幅方向に突出し、貫通孔１７と第１収容空間１５との境界部の段部１５ｂにおいて第１収容空間１５の前方側壁面１５ｃに当接している。したがって、ロック部材３０もアームレスト１０と一体となって座席５０の背もたれ５１側に移動する。その結果、第１コイルスプリング１６が最長に伸びている状態でロック部材３０の先端部はトレイ４０の挿入部４３の係合孔４４から離間し、挿入部４３の係合孔４４とロック部材３０との係合は解除され、トレイ４０全体をそのまま持ち上げて取り外すことが可能となる。こうしてトレイ４０を取り外した後は、アームレスト１０を把持している手を離せば、第２収容空間１８内の第２コイルスプリング１９の付勢力によりアームレスト１０は自ずとトレイ４０と当接する元の位置に弾性復帰する。そして、ロック部材３０の先端部も元のホルダ穴２２内に突出する状態に復帰する。
【００３７】
次に、本実施形態のトレイ４０の保持構造１の作用を説明する。
トレイ４０は、上方から挿入部４３をカップホルダ２０内に挿入していくだけで、ロック部材３０は挿入部４３による押し下げによって弾性的に後退し、更に挿入部４３の係合孔４４がロック部材３０の高さ方向の位置まで下降すると、ロック部材３０は弾性復帰して係合孔４４内に前進して係合する。これにより、トレイ４０をカップホルダ２０に簡単に取り付けることができる。そして、挿入部４３の上部開口からロック部材３０の先端部が係合孔４４から内部に突出しているのを視認でき、また、ロック部材３０が係合孔４４に係合するときの手の感触により係合したことを認識できるので、それにより、確実にトレイ４０を取り付けることができる。
【００３８】
また、トレイ４０を取り付けた後は、ロック部材３０が挿入部４３の係合孔４４内に前進して係合することにより、トレイ４０をカップホルダ２０に確実に保持でき、トレイ４０に人の足等が当たっても外れて脱落することがない。
【００３９】
加えて、トレイ４０を取り外したいときは、アームレスト１０を手で把持して後方である座席５０の背もたれ５１側にスライドにより移動させるだけで、ロック部材３０はアームレスト１０と一体となって挿入部４３の係合孔４４との係合が解除され、ホルダ穴２２の外側に後退するので、簡単に取り外すことができる。また、このとき、アームレスト１０は手で把持して座席５０の背もたれ５１側すなわち着座者の手前側に移動することになるので、アームレスト１０を移動させ易い。
【００４０】
更に、カップホルダ２０及びトレイ４０の挿入部４３は円筒状に形成され、挿入部４３の係合孔４４は、周壁において周方向に長い長孔で形成され、トレイ４０は、一定の範囲でカップホルダ２０の軸心回りに回動可能に保持されているから、トレイ４０を最適な位置、向きに自在に調整することができ、トレイ４０を使い易い。
【００４１】
加えて、アームレスト１０を人為的に操作して移動させることによりトレイ４０を取り外すことができる。これは、何らかの拍子にトレイ４０が外れてしまって不測の事態を招き兼ねないので、着座者に明確にトレイ４０を取り外すための行為をなさしめるという意味で効果を奏する。
【００４２】
〈第二実施形態〉
次に、本発明の第二実施形態のトレイの保持構造を図１０及び図１１に基づいて説明する。第一実施形態では、カップホルダ２０が座席５０に固定され、アームレスト１０が移動可能となっているのに対し、第二実施形態は、アームレスト１０が座席５０に固定され、カップホルダ２０が移動可能となっており、その点において、第一実施形態と異なる。以下、異なる点を中心に説明する。
【００４３】
図１０(a)は、第二実施形態の保持構造２における、トレイ４０を取付前のアームレスト１０及びカップホルダ２０を示す。アームレスト１０は、全体的には四角筒状に形成されているが、後方端部側は四角柱状に形成されており、四角筒状部分の両側の内壁面の高さ方向略中間位置には、内部側に突出する断面コ字状の嵌合突起１０ａが長さ方向全体に設けられている。アームレスト１０は、座席５０に固定されている。一方、カップホルダ２０は大部分が四角柱状に形成され、第一実施形態と同様のホルダ穴２２が形成されており、後方側にはその外周壁全体が四角筒状のアームレスト１０によって覆われた四角柱状の基台２１が延設されている。基台２１の幅方向の両側面には、第一実施形態と同様に、アームレスト１０の嵌合突起１０ａが嵌合する嵌合溝２３が長さ方向全体に至って設けられている。カップホルダ２０は手で把持して移動させることができ、アームレスト１０から離間して前方に移動可能となっている。
【００４４】
更に、第１コイルスプリング１６を収容する第１収容空間１５はカップホルダ２０側に形成されている。ロック部材３０は第一実施形態と同様の形状に形成され、後方側はＴ字状に形成されて幅方向の両側に、第１収容空間１５の前方側壁面１５ｃと当接する突片３２が突出している。更に、第１収容空間１５の内部においては、断面矩形の棒状あるいは平板状のスプリング支持突起１０ｂがアームレスト１０に一体に突設されており、スプリング支持突起１０ｂはカップホルダ２０内を上下方向に貫通して第１収容空間１５内に突出している。第１コイルスプリング１６はロック部材３０の後側の端面とスプリング支持突起１０ｂとの間に取り付けられている。
【００４５】
更に、アームレスト１０の後方端部側の四角柱状部分の前方側壁面１０ｃとカップホルダ２０の基台２１の後方側壁面２１ａとの間には第２収容空間１８が形成され、その内部には第２コイルスプリング１９が取り付けられている。なお、図示しないが、アームレスト１０の外表面には全体的にレザー等の表皮材が貼り付けられている。
【００４６】
このように構成された保持構造２において、トレイ４０をカップホルダ２０に取り付けるときには、第一実施形態と同様に、トレイ４０の挿入部４３を上方からホルダ穴２２内に挿入していけば、図１０(a)に示すようにホルダ穴２２内に突出していたロック部材３０の先端部は、図１０(b)に示すように、トレイ４０の挿入部４３の押し込みによりホルダ穴２２の外方に後退し、更に押し込んでいく途中で挿入部４３の係合孔４４内に進入し係合する。係合状態を図１１(a)に示す。これにより、トレイ４０はカップホルダ２０に保持される。なお、図１０(b)及び図１１において、トレイ４０は挿入部４３のみを図示し、皿部４１の図示は省略してある。
【００４７】
次に、トレイ４０をカップホルダ２０から取り外すには、図１１(b)に示すように、カップホルダ２０を手で把持し、第２コイルスプリング１９の付勢力に抗して固定側のアームレスト１０に対し前方に移動させる。このとき、トレイ４０もカップホルダ２０とともに移動する。また、ロック部材３０は、第１コイルスプリング１６が最長に伸びている状態でこの第１コイルスプリング１６を介してアームレスト１０の第１収容空間１５内のスプリング支持突起１０ｂに保持されている。その結果、ロック部材３０の先端部はトレイ４０の挿入部４３の係合孔４４から離間し、挿入部４３の係合孔４４とロック部材３０の先端部との係合は解除されるから、その後にトレイ４０全体をそのまま持ち上げて取り外すことができる。トレイ４０を取り外した後は、カップホルダ２０を把持している手を離せば、第２収容空間１８内の第２コイルスプリング１９によりカップホルダ２０は自ずとアームレスト１０と当接する元の位置に弾性復帰する。そして、ロック部材３０の先端部も元のホルダ穴２２内に突出する状態に復帰する。
【００４８】
第二実施形態の保持構造２は、このように、アームレスト１０が座席５０に固定され、ロック部材３０はアームレスト１０側に保持されているので、ロック部材３０は、カップホルダ２０が移動することによりカップホルダ２０の挿入部４３から離間し、トレイ４０の挿入部４３の係合孔４４との係合が解除される。この構成により、カップホルダ２０は通常は手などがほとんど触れない箇所にあり、トレイ４０を取り外すときだけ手で把持して前方側に移動させることになるから、不用意にカップホルダ２０を移動させてロック部材３０の係合を解除してしまうのをより回避することができる。
【００４９】
なお、上記各実施形態においては、カップホルダ２０を利用してこれにトレイ４０が取り付けられるものを示しているが、このカップホルダ２０は、勿論、本来用いられているように、ドリンクカップを保持するものとして使用することもできる。すなわち、図１２に示すように、カップホルダ２０の先端部裏面に板材を折り曲げたカップ受け２５を突設することにより、ホルダ穴２２にドリンクカップ６０を挿入し、カップ受け２５で支持させることもできる。
【００５０】
この場合、ロック部材３０は先端部がドリンクカップ６０の周壁に当接し、第１コイルスプリング１６の付勢力により周壁を押圧して保持する。これにより、ドリンクカップ６０は安定してカップホルダ２０に保持される。ここで、第１コイルスプリング１６の付勢力が大き過ぎると、紙製あるいは合成樹脂製のドリンクカップ６０を変形あるいは押し潰してしまうことがあるし、付勢力が小さ過ぎると、保持力が低下しまう。したがって、第１コイルスプリング１６の付勢力は、ドリンクカップ６０の材質、形状、強度、剛性等を考慮して最適値に設定される。
【００５１】
ドリンクカップ６０を取り外すときは、上記各実施形態と同様に、アームレスト１０またはカップホルダ２０を移動させてドリンクカップ６０の周壁へのロック部材３０の押圧を解除して取り外せばよい。したがって、本発明の保持構造によれば、従来の、ドリンクカップ６０をカップホルダ２０に圧入により嵌挿させて保持させるものである場合には、ドリンクカップ６０を取り外すときに持ち上げる際の反動でドリンクカップ６０が勢い余って飛び上がり、内部の飲料がこぼれ落ちてしまうおそれがあるが、それを防止することができる。
【００５２】
なお、本発明のカップホルダ２０は、トレイ４０を取り付けないときは、スプーンやフォークなどを入れる容器として利用することもできる。
【００５３】
ところで、上記各実施形態のロック部材３０は、平板状に形成されているが、これに限られるものではなく、四角棒状、丸棒状等に形成してもよい。
また、ロック部材３０のカップホルダ２０側の先端面３１は、上方から下方にかけてホルダ穴２２内に向けて傾斜する傾斜面に形成されているが、断面が鋭角三角形状である楔形状や砲弾形状等に形成してもよい。
【００５４】
更に、上記各実施形態の保持構造において、カップホルダ２０は後方側に平板状の基台２１が座席５０の背もたれ５１側に向けて一体に延設され、その基台２１の上部全体にアームレスト１０が覆うように被せて組み付けられているが、この組付構造に限られるものではない。
加えて、アームレスト１０及びカップホルダ２０は、上記各実施形態に記載の形状、形態に限られるものではない。
また、各コイルスプリングが収容される各収容空間は、矩形箱状の空間に形成されているが、この形状に限られるものでもない。
【００５５】
更に、上記各実施形態のカップホルダ２０のホルダ穴２２は、円筒状、より厳密には内周面が僅かに傾斜した円錐台形状に形成され、これに対応して、トレイ４０の挿入部４３は、円筒状、より厳密には周壁が僅かに傾斜した円錐台形状に形成されているが、これらカップホルダ２０のホルダ穴２２及びトレイ４０の挿入部４３はこの形状に限られるものではなく、角筒状等に形成してもよい。
【００５６】
そして、ロック部材３０、アームレスト１０及びカップホルダ２０は、各コイルスプリングにより所定方向に弾性的に付勢されているが、付勢部材としては、他に、板ばねなどを用いてもよい。
【００５７】
加えて、上記各実施形態では、トレイ４０を取り外した後、アームレスト１０あるいはカップホルダ２０は第２コイルスプリング１９によって元位置に弾性復帰するものとしているが、必ずしもこれに限られるものではなく、手動により元位置に復帰させ、元位置に係合手段などを設けて定位置に保持させるものとしてもよい。
また、アームレスト１０あるいはカップホルダ２０は、手で把持して移動させているが、必ずしもこれに限られるものではなく、電動等により移動させることを妨げるものでもない。
【００５８】
更には、トレイ４０の挿入部４３の係合孔４４は、周壁の周方向に長い長孔に形成して、トレイ４０を所定範囲で回動できるものとしているが、本発明を実施する場合には、回動せず一定方向に保持するものとすることを妨げるものではない。
【００５９】
なお、トレイ４０の挿入部４３は、内部に径の小さいドリンクカップやスプーン、フォーク等を収容することもできる。また、挿入部４３は、中実の略円柱状や角柱状等に形成してもよい。
【００６０】
更に、上記各実施形態においては、座席５０は、映画館に設置されたシートを例示しているが、本発明は、座席５０が劇場のシートやホテルのロビーのシートなどである場合にも同様に適用することができる。
【符号の説明】
【００６１】
１，２；保持構造、１０；アームレスト、１６；第１コイルスプリング、１９；第２コイルスプリング、２０；カップホルダ、３０；ロック部材、４０；トレイ、４３；挿入部、４４；係合孔、５０；座席。
【図１】
2019093918.tif 000003
【図２】
2019093918.tif 000004
【図３】
2019093918.tif 000005
【図４】
2019093918.tif 000006
【図５】
2019093918.tif 000007
【図６】
2019093918.tif 000008
【図７】
2019093918.tif 000009
【図８】
2019093918.tif 000010
【図９】
2019093918.tif 000011
【図１０】
2019093918.tif 000012
【図１１】
2019093918.tif 000013
【図１２】
2019093918.tif 000014